(57)【要約】      （修正有）【課題】カラス等の鳥による営巣を防止することができる営巣防止具を提供する。【解決手段】鳥によって第１の場所で作られた第１の巣及び人工の第２の巣のうちの何れか一方の巣２２を受ける受け具２３と、前記受け具を電柱における前記第１の場所とは異なる第２の場所に取り付ける取付具と、を備える営巣防止具。【選択図】図２
2015181364.tif 000002
【特許請求の範囲】
【請求項１】
鳥によって第１の場所で作られた第１の巣及び人工の第２の巣のうちの何れか一方の巣を受ける受け具と、
前記受け具を電柱における前記第１の場所とは異なる第２の場所に取り付ける取付具と、
を備えたことを特徴とする営巣防止具。
【請求項２】
前記受け具には、第１挿通孔が形成されており、
前記取付具は、
前記第１挿通孔と、前記電柱の長手方向に沿って貫通するように前記電柱の腕金に形成されている第２挿通孔とに、挿通されるボルトと、
前記ボルトのヘッドとの間において前記腕金及び前記受け具が挟まれて前記受け具が前記腕金の上部に固定されるように、前記ボルトと螺合するナットと、を有する
ことを特徴とする請求項１に記載の営巣防止具。
【請求項３】
前記ボルトは、前記ヘッドが前記腕金の上部に設けられるように前記第１及び第２挿通孔に挿通されている
ことを特徴とする請求項２に記載の営巣防止具。
【請求項４】
前記受け具は、
前記第１挿通孔が形成されるように環状に曲げられた第１線材と、
内部において前記一方の巣が保持されるように、前記腕金とは反対側に向かって前記第１線材から放射状に延在する複数の第２線材と、を有する
ことを特徴とする請求項２に記載の営巣防止具。
【請求項５】
前記受け具は、茶色に着色されている
ことを特徴とする請求項１に記載の営巣防止具。
【請求項６】
前記一方の巣の上に設けられる鳥の模型、を更に備える
ことを特徴とする請求項１に記載の営巣防止具。
【請求項７】
前記鳥は、カラスである
ことを特徴とする請求項１に記載の営巣防止具。
【発明の詳細な説明】
【技術分野】
【０００１】
本発明は、営巣防止具に関する。
【背景技術】
【０００２】
例えば、電線を支持する電柱が知られている（例えば特許文献１）。
【先行技術文献】
【特許文献】
【０００３】
【特許文献１】特開２００７-２０４５７号公報
【発明の概要】
【発明が解決しようとする課題】
【０００４】
例えば、特許文献１の電柱を含め、電柱に対して鳥が巣を作った場合、当該巣を介して電線が短絡することにより短絡事故が発生する虞がある。
【課題を解決するための手段】
【０００５】
前述した課題を解決する主たる本発明は、鳥によって第１の場所で作られた第１の巣及び人工の第２の巣のうちの何れか一方の巣を受ける受け具と、前記受け具を電柱における前記第１の場所とは異なる第２の場所に取り付ける取付具と、を備えたことを特徴とする営巣防止具である。
【０００６】
本発明の他の特徴については、添付図面及び本明細書の記載により明らかとなる。
【発明の効果】
【０００７】
本発明によれば、鳥による営巣を防止することができる。
【図面の簡単な説明】
【０００８】
【図１】本発明の第１実施形態における電柱に取り付けられた状態の営巣防止具を示す図である。
【図２】本発明の第１実施形態における営巣防止具を示す分解図である
【図３】本発明の第２実施形態における営巣防止具を示す分解図である
【図４】本発明の第３実施形態における営巣防止具を示す分解図である
【発明を実施するための形態】
【０００９】
本明細書および添付図面の記載により、少なくとも以下の事項が明らかとなる。
【００１０】
[第１実施形態]
＝＝＝営巣防止具＝＝＝
以下、図１及び図２を参照して、本実施形態における営巣防止具について説明する。図１は、本実施形態における電柱に取り付けられた状態の営巣防止具を示す図である。図２は、本実施形態における営巣防止具を示す分解図である。
【００１１】
ｚ軸は、電柱１１の長手方向に沿っている軸であり、下側から上側に向かう方向を＋ｚとし、上側から下側に向かう方向を−ｚとする。ｘ軸は、腕金１３の長手方向に沿っている軸であり、電柱１１から腕金１３の先端に向かう方向を＋ｘとし、腕金１３の先端から電柱１１に向かう方向を−ｘとする。ｙ軸は、ｚ軸及びｘ軸に対して直交する軸であり、図１の紙面手前から裏に向かう方向を−ｙとし、図１の紙面裏から手前に向かう方向を＋ｙとする。
【００１２】
営巣防止具２（図１）は、鳥のうちの例えばカラスが腕金１２、１２Ａに対して営巣するのを防止するのに用いられる。尚、腕金１２は、営巣防止具２が設けられている低圧用の腕金１３よりも上側（＋ｚ）に設けられている高圧用の腕金である。腕金１２Ａは、腕金１３が設けられている電柱１１の周囲の電柱１１Ａに設けられている高圧腕金である。
【００１３】
一般的に、カラスは、他のカラスの巣を中止に所定距離（例えば、２０〜１００メートル）以内には営巣を行うことが比較的少ないという、縄張りについての習性を有している。つまり、例えば、一方のカラスの巣から所定距離以内の所定範囲内に、当該一方のカラスとは異なる他方のカラスが営巣する確率は、所定範囲外に他方のカラスが営巣する確率よりも低くなる。営巣防止具２は、このカラスの縄張りについての習性を利用して、カラスが腕金１２、１２Ａに営巣するのを防止する。
【００１４】
営巣防止具２（図２）は、模型２１、ボルト２４１、巣２２、受け具２３、ナット２４２を有する。
【００１５】
模型２１は、巣２２上にカラスが居ることを模擬するのに用いられるカラスの模型である。模型２１は、黒色に着色されている。模型２１は、例えば樹脂又は木等の絶縁性の材料により形成されている。
【００１６】
受け具２３は、腕金１３の上部（＋ｚ）において巣２２を受ける。受け具２３は、第１線材２３２、複数の第２線材２３３を有する。第１線材２３２及び第２線材２３３は、例えば茶色に着色されているアルミニウム製の線材である。
【００１７】
第１線材２３２は、第１挿通孔２３１が形成されるように環状に曲げられている。複数の第２線材２３３は、受け具２３の内部において巣２２が保持されるように、腕金１３とは反対側（＋ｚ）に向かって第１線材２３２から放射状に延在している。
【００１８】
巣２２は、カラスの巣である。巣２２は、例えばカラスの巣を模擬した人工のカラスの巣（第２の巣）であることとしてもよいし、例えば腕金等から撤去された天然のカラスの巣（第１の巣）であることとしてもよい。つまり、巣２２が天然のカラスの巣であることとした場合、巣２２は、電柱１１における巣２２が取り付けられる場所（第２の場所）とは異なる場所（第１の場所）においてカラスに作られたものであることになる。
【００１９】
ボルト２４１、ナット２４２は、腕金１３に対して模型２１、受け具２３、巣２２を取り付けるのに用いられる。尚、ボルト２４１、ナット２４２が取付具に相当する。
【００２０】
ボルト２４１のヘッドには、模型２１が取り付けられる。例えば、模型２１は、樹脂製の取り付けベルトを用いてボルト２４１のヘッドに取り付けられることとしてもよい。ボルト２４１は、巣２２、第１挿通孔２３１、第２挿通孔１３１に連続的に挿通されて、ナット２４２と螺合される。尚、巣２２の底面には、ボルト２４１が挿通される第２挿通孔（不図示）が設けられていることとする。又、腕金１３には、ボルト２４１が挿通される第２挿通孔１３１が設けられていることとする。第２挿通孔１３１は、上下方向（ｚ軸）において腕金１３を貫通するように設けられている。
【００２１】
＝＝＝営巣防止具の取り付け＝＝＝
以下、図２を参照して、本実施形態における営巣防止具の取り付けについて説明する。
【００２２】
模型２１がボルト２４１のヘッドに取り付けられる。巣２２が受け具２３にはめられる。受け具２３が腕がね１３の上部に設けられる。ボルト２４１が、巣２２、第１挿通孔２３１、第２挿通孔１３１に連続的に挿通されて、ナット２４２と螺合される。このとき、取付具２３は、腕金１３の上部においてボルト２４１のヘッドと腕金１３とによって挟まれた状態で、腕金１３に対して固定される。又、巣２２は、腕金１３の上部において取付具２３によって保持される。模型２１は、巣２２において例えば顔が巣２２が露出するように、巣２２の上に設けられる。これらにより、腕金１３に対して営巣防止具２が取り付けられることになる。又、電柱１１における所定位置に、貼り紙３が張られることとしてもよい。貼り紙３には、腕金１３に対して営巣防止具２が取り付けられていることが記されていることとする。この貼り紙３によって、例えば腕金３に取り付けられているのは営巣防止具２であることを認識できるために、営巣防止具２を視認した者が、営巣防止具２を撤去するべきカラスの巣であると誤認するのを防止することができる。
【００２３】
[第２実施形態]
＝＝＝営巣防止具＝＝＝
以下、図２を参照して、本実施形態における営巣防止具について説明する。図３は、本実施形態における営巣防止具を示す分解図である。尚、図２と同様な構成には、同様な符号を付し、その説明については省略する。
【００２４】
営巣防止具２Ｂは、取付部材４、ボルト２６１、ナット２６２を有する。
【００２５】
取付部材４は、腕金１３に対して受け具２３を取り付けるための例えば金属製の部材である。取付部材４は、＋ｘから−ｘ側に向かって見た際に、腕金１３の周囲を取り囲むように略コ字形状を呈する。取付部材４は、第１板部材４１、第２板部材４３、第３板部材４２を有する。
【００２６】
第１板部材４１、第２板部材４３、第３板部材４２は、略矩形形状を呈している。第１板部材４１は、腕金１３の上側（＋ｚ）において腕金１３と対向している。第２板部材４３は、第１板部材４１における−ｙ側の端部から下側（−ｚ）に向かって折り曲げられている。第３板部材４２は、第２板部材４３における下側の端部から＋ｙ側に向かって折り曲げられている。第３板部材４２は、ｚ軸方向における第１板部材４１とは反対側（−ｚ）において腕金１３と対向する。第１板部材４１及び第３板部材４２における−ｙ側の端部には、ボルト２６１が挿通される挿通孔が設けられていることとする。
【００２７】
ボルト２６１は、取付具２３の第１挿通孔２３１、第１板部材４１及び第３板部材４２夫々の挿通孔に連続的に挿通された状態で、ナット２６２と螺合される。この後、ｚ軸方向におけるボルト２６１のヘッドとナット２６２とが近づくようにボルト２６１が回動された場合、ｚ軸方向における第１板部材４１が第３板部材４２に近づくように取付部材４が変形する。この際、取付部材４は、第１板部材４１と第３板部材４２とが腕金１３を挟持することにより、腕金１３に固定される。
【００２８】
[第３実施形態]
＝＝＝営巣防止具＝＝＝
以下、図４を参照して、本実施形態における営巣防止具について説明する。図４は、本実施形態における営巣防止具を示す分解図である。尚、図２と同様な構成には、同様な符号を付し、その説明については省略する。
【００２９】
営巣防止具２Ｃは、取付装置５を有する。取付装置５は、腕金１３に対して受け具２３を取り付けるための装置である。取付装置５は、第１板部材５１、第２板部材５２、絶縁部材５３、ボルト２７１、２８１、ナット２７２、２８２を有する。
【００３０】
第１板部材５１、第２板部材５２は夫々、腕金１３の上側（＋ｚ）、下側（−ｚ）に設けられる。ｙ軸方向における第１板部材５１、第２板部材５２の両端部には、ボルト２７１、２８１が挿通される挿通孔が設けられている。
【００３１】
絶縁部材５３は、ボルト２８１が挿通される挿通孔が設けられている例えば碍子等である。ｚ軸方向における絶縁部材５３の長さは、ｚ軸方向における腕金１３の幅と略同様な長さに設定されている。
【００３２】
ボルト２８１は、第１板部材５１の挿通孔、絶縁部材５３の挿通孔、第２板部材５２の挿通孔に連続的に挿通されて、ナット２８２と螺合される。ボルト２７１は、受け具２３の第１挿通孔２３１、第１板部材５１の挿通孔、第２板部材５２の挿通孔に連続的に挿通されて、ナット２７２と螺合される。この後、ｚ軸方向におけるボルト２７１のヘッドとナット２７２とが近づくようにボルト２７１が回動された場合、ｚ軸方向における第１板部材５１が第２板部材５２に近づく。この際、取付装置５は、第１板部材５１と第２板部材５２とが腕金１３を挟持することにより、腕金１３に固定される。
【００３３】
前述したように、営巣防止具２（第１実施形態）は、受け具２３、ボルト２４１、ナット２４２を有する。受け具２３は、鳥のうちの例えばカラスによって第１の場所で作られた巣及び人工の巣のうちの何れか一方の巣２２を受ける。ボルト２４１及びナット２４２は、受け具２３を電柱１１における前述の第１の場所とは異なる第２の場所に取り付けるのに用いられる。従って、電柱１１に対してカラスが営巣するのを、前述したカラスの習性に基づいて、防止することができる。又、巣２２がカラスによって第１の場所で作られた巣である場合、巣２２を作ったカラスは、巣２２が第１の場所から第２の場所へ移動されているので、第２の場所に設けられた巣２２を自分が作った巣であると認識できなくなることがある。この場合、巣２２を作ったカラスが電柱１１に営巣するのを防止することもできる。
【００３４】
又、受け具２３には、第１挿通孔２３１が形成されている。ボルト２４１は、第１挿通孔２３１と、電柱１１の長手方向（ｚ軸）に沿って貫通するように腕金１３に形成されている第２挿通孔１３１とに、挿通される。ナット２４２は、ボルト２４１のヘッドとの間において腕金１３及び受け具２３が挟まれて受け具２３が腕金１３の上部に固定されるように、ボルト２４１と螺合する。従って、ボルト２４１及びナット２４２によって比較的簡単に取り付けることが可能な営巣防止具２を提供することができる。
【００３５】
又、ボルト２４１は、ボルト２４１のヘッドが腕金１３の上部に設けられるように第１挿通孔２３１及び第２挿通孔１３１に挿通されている。よって、ボルト２４１のヘッドとは反対側の先端が、巣２２の上側（＋ｚ）に突出するのを防止することができる。従って、カラスによって腕金１３に作られた巣を模擬することができる。よって、電柱１１に対してカラスが営巣するのを、確実に防止することができる。
【００３６】
又、受け具２３は、第１線材２３２、第２線材２３３を有する。第１線材２３２は、第１挿通孔２３１が形成されるように環状に曲げられている。複数の第２線材２３３は、受け具２３の内部において巣２２が保持されるように、腕金１３とは反対側（＋ｚ）に向かって第１線材２３２から放射状に延在している。よって、例えば風によって巣２２が飛ばされないように、巣２２を腕金１３に確実に取り付けることができる。
【００３７】
又、受け具２３は、茶色に着色している。従って、カラスによって例えば小枝等により作られた巣を模擬して、カラスによる営巣を確実に防止することができる。
【００３８】
又、模型２１は、巣２２の上に設けられている。従って、巣２２にカラスがいるのを模擬して、カラスによる営巣を確実に防止することができる。
【００３９】
尚、第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【００４０】
第１実施形態においては、巣２２がカラスの巣であることについて説明したが、これに限定されるものではない。例えば巣２２がカラス以外の鳥の巣であることとしてもよい。
【符号の説明】
【００４１】
２、２Ｂ、２Ｃ                          営巣防止具
１１、１１Ａ                            電柱
２２                                    巣
２３                                    受け具
２４１、２６１、２７１、２８１          ボルト
２４２、２６２、２７２、２８２          ナット
【図１】
2015181364.tif 000003
【図２】
2015181364.tif 000004
【図３】
2015181364.tif 000005
【図４】
2015181364.tif 000006